(57)【要約】【課題】灰皿本体と蓋体とを摺動連結してなる携帯用灰皿において、開蓋時および閉蓋時における灰皿本体と蓋体との係止を安価に行うことができるようにする。【解決手段】灰皿本体２の灰落とし孔２１に灰落とし孔２１内に延在する延在部２５を形成し、その先端部分２５ａを基体２３の上面から外方に折り曲げる。延在部２５に開蓋時に蓋体３の内面に形成された突起部３１に係止する切欠部２５ｂを形成する。灰皿本体２を蓋体３に挿入すると、先端部分２５ａが内方に折り曲げられ、延在部２５が元に戻ろうとすることによる蓋体３との内面との間の付勢力により蓋体３と灰皿本体２とが付勢嵌合される。開蓋時には切欠部２５ｂが突起部３１に係止するため、灰皿本体２が蓋体３から外れることはない。【選択図】　　　　　図２
0003096973.tif 000002
【実用新案登録請求の範囲】
【請求項１】
所定位置に灰落とし孔を有する中空の灰皿本体と、
該灰皿本体に摺動自在かつ着脱自在に装着されて前記灰落とし孔を開閉自在に被装する蓋体とを備えてなる携帯用灰皿において、
前記灰皿本体の前記蓋体との摺動面に、前記蓋体の内面に付勢される付勢部を形成して前記灰皿本体と前記蓋体とを付勢嵌合し、
前記蓋体の内面に、閉蓋時に前記灰落とし孔内に位置し、開蓋時に前記灰落とし孔の縁部の一部に係止する突起部を形成してなることを特徴とする携帯用灰皿。
【請求項２】
前記灰皿本体が、前記灰落とし孔の前記蓋体に挿入される側の縁部からその反対側の縁部に向けて、開蓋時に該灰落とし孔に先端部分が突出する位置にまで延在する延在部を備え、該延在部の先端部分が外方に折り曲げられて前記付勢部を形成してなり、さらに該延在部に、開蓋時に前記延在部の先端部分が前記灰落とし孔に突出する位置において前記突起部に係止する切欠部が形成されてなることを特徴とする請求項１記載の携帯用灰皿。
【請求項３】
前記灰皿本体が、前記蓋体に挿入される側の端部が開口してなるものであり、該端部の前記突起部に対応する位置に、該突起部を前記灰落とし孔へ案内する案内部が形成されてなることを特徴とする請求項１記載の携帯用灰皿。
【請求項４】
前記灰皿本体が、前記蓋体に挿入される側の端部が開口してなるものであり、該端部の前記突起部に対応する位置に、該突起部を前記灰落とし孔へ案内する案内部が形成されてなることを特徴とする請求項２記載の携帯用灰皿。
【考案の詳細な説明】
【０００１】
【考案の属する技術分野】
本考案は、携帯用灰皿に関し、とくに、灰皿本体と蓋体とを摺動自在かつ着脱自在に連結してなる携帯用灰皿に関するものである。
【０００２】
【従来の技術】
従来、携帯用灰皿として、例えば実用新案登録第３０３０２５８号公報に記載されたものが知られている。この携帯用灰皿は、図９および図１０に示すように、中空状の灰皿本体１０１と、灰皿本体１０１の表面に被装される蓋体１０２とを備え、灰皿本体１０１は、中央に灰落とし孔１０３を有する有底筒状の基体１０４と、基体１０４の開口１０４ａを閉塞すべく装着されるキャップ１０５とから構成されている。また、この灰皿本体１０１の長手方向側面には、スリット状の凹溝１０６が延設されており、この凹溝１０６に弾性部材１０７が装着されている。
【０００３】
この弾性部材１０７は、折り曲げ成形された板バネからなり、閉蓋時にのみ蓋体１０２の内面に突設された凸部１０２ａと接合する突起部１０７ａと、開蓋時にのみ凸部１０２ａへ押圧すべく折り曲げ成形された付勢部１０７ｂとを備えている。また、付勢部１０７ｂには、蓋体１０２の最終閉蓋位置でのみ、蓋体１０２の凸部１０２ａと着脱自在に係合されるように係合孔１０７ｃが形成されている。
【０００４】
そして、これにより、開蓋時には、蓋体１０２内に突設された凸部１０２ａが、弾性部材１０７の付勢部１０７ｂに圧接した後、係合孔１０７ｃに強制的に嵌合するため、蓋体１０２を的確な位置で確実に止めることができ、これにより、灰皿本体１０１の必要以上の摺動操作を防止できる。逆に、閉蓋時には、蓋体１０２内に突設された凸部１０２ａが弾性部材１０７の突起部１０７ａ上に圧接するため、蓋体１０２を確実に止着でき、これにより、蓋体１０２が意に反して開蓋してしまうことを防止できる。
【０００５】
【考案が解決しようとする課題】
しかしながら、実用新案登録第３０３０２５８号公報に開示された携帯用灰皿は、灰皿本体１０１と蓋体１０２との開蓋時および閉蓋時における係止を弾性部材１０７により行っているため、携帯用灰皿の構成部品が多くなる。また、灰皿本体１０１に弾性部材１０７を装着するための凹溝１０６を加工する必要があるため、携帯用灰皿の製造工程に凹溝１０６を加工する工程が必要となる。したがって、携帯用灰皿の加工コストが向上するという問題がある。
【０００６】
本考案は上記事情に鑑みなされたものであり、灰皿本体と蓋体とを摺動連結してなる携帯用灰皿において、開蓋時および閉蓋時における灰皿本体と蓋体との係止を安価に行うことができるようにすることを目的とするものである。
【０００７】
【課題を解決するための手段】
本考案による携帯用灰皿は、所定位置に灰落とし孔を有する中空の灰皿本体と、
該灰皿本体に摺動自在かつ着脱自在に装着されて前記灰落とし孔を開閉自在に被装する蓋体とを備えてなる携帯用灰皿において、
前記灰皿本体の前記蓋体との摺動面に、前記蓋体の内面に付勢される付勢部を形成して前記灰皿本体と前記蓋体とを付勢嵌合し、
前記蓋体の内面に、閉蓋時に前記灰落とし孔内に位置し、開蓋時に前記灰落とし孔の縁部の一部に係止する突起部を形成してなることを特徴とするものである。
【０００８】
なお、本考案による携帯用灰皿においては、前記灰皿本体が、前記灰落とし孔の前記蓋体に挿入される側の縁部からその反対側の縁部に向けて、開蓋時に該灰落とし孔に先端部分が突出する位置にまで延在する延在部を備え、該延在部の先端部分が外方に折り曲げられて前記付勢部を形成してなり、さらに該延在部に、開蓋時に前記延在部の先端部分が前記灰落とし孔に突出する位置において前記突起部に係止する切欠部が形成されてなるものとしてもよい。
【０００９】
また、本考案による携帯用灰皿においては、前記灰皿本体が、前記蓋体に挿入される側の端部が開口してなるものであり、該端部の前記突起部に対応する位置に、該突起部を前記灰落とし孔へ案内する案内部が形成されてなるものとしてもよい。
【００１０】
【考案の効果】
本考案によれば、灰皿本体の蓋体との摺動面に、蓋体の内面に付勢される付勢部を形成したため、閉蓋時および蓋体の開閉時において、蓋体は付勢部の付勢力により生じる嵌合力により灰皿本体に保持されることとなる。これにより、蓋体が意に反して開いてしまうことがなくなる。また、蓋体の内面に、閉蓋時に灰落とし孔内に位置し、開蓋時に灰落とし孔の縁部に係止する突起部を形成しているため、開蓋時には突起部が灰落とし孔の縁部の一部に係止することにより、蓋体が灰皿本体から抜け落ちることなく灰皿本体に保持される。また、蓋体の開閉動作を行う際に突起部が邪魔となることもない。このため、実用新案登録第３０３０２５８号公報に記載された弾性部材のように、灰皿本体および蓋体以外の部品を使用しなくても、灰皿本体と蓋体とが開蓋時に抜けてしまったり、閉蓋時に意に反して蓋体が開いたりすることなく、灰皿本体と蓋体とを摺動自在かつ着脱自在に装着できる。したがって、灰皿本体および蓋体以外の部品が不要となり、さらに灰皿本体および蓋体以外の部品を灰皿本体に付与するための加工も不要となり、その結果、携帯用灰皿を安価に提供できることとなる。
【００１１】
また、灰皿本体が、灰落とし孔の蓋体に挿入される側の縁部からその反対側の縁部に向けて、開蓋時に灰落とし孔に先端部分が突出する位置にまで延在する延在部を備え、延在部の先端部分が外方に折り曲げられて付勢部を形成してなり、開蓋時において延在部の先端部分が灰落とし孔に突出する位置において突起部に係止する切欠部が形成されてなるものとすることにより、延在部の先端部分すなわち付勢部を用いて吸いかけのたばこの灰を落としたり、たばこの火を消したりすることができる。
【００１２】
また、灰皿本体を蓋体に挿入される側の端部が開口してなるものとし、端部の突起部に対応する位置に突起部を灰落とし孔へ案内する案内部を形成することにより、灰皿本体がたばこの吸い殻で一杯になった場合は、蓋体を灰皿本体から取り外して、開口から吸い殻を捨てることができる。また、吸い殻を捨てた後、蓋体を灰皿本体とを嵌合する際に、蓋体内面に形成された突起部は案内部により案内されるため、蓋体と灰皿本体とを突起部に邪魔されることなく容易に嵌合することができる。
【００１３】
【考案の実施の形態】
次いで、本考案の実施形態について図面を参照して説明する。図１は本考案の実施形態による携帯用灰皿の閉蓋時の外観斜視図、図２は本考案の実施形態による携帯用灰皿の開蓋時の外観斜視図、図３は本考案の実施形態による携帯用灰皿の分解斜視図である。
【００１４】
図１から図３に示すように、本実施形態による携帯用灰皿１は、中空状の灰皿本体２と、灰皿本体２の表面に被装される蓋体３とを備えている。
【００１５】
灰皿本体２は、ステンレス等の金属や耐熱性の合成樹脂のような難燃性材料からなり、中央に矩形状の灰落とし孔２１を有し、両端に開口２２ａ，２２ｂを有する筒状の基体２３と、基体２３の開口２２ｂを閉じるキャップ２４とから構成されている。なお、キャップ２４は基体２３から容易に抜け落ちないように、基体２３に圧入されるか、または接着剤により基体２３に接着される。
【００１６】
また、灰落とし孔２１の開口２２ａ側の縁部２１ａからは開口２２ｂ側の縁部２１ｂに向けて延在する延在部２５が形成されている。延在部２５は図３のＩ−Ｉ線断面図に詳細に示すように、先端部分２５ａが基体２３の上面（すなわち灰落とし孔２１が形成された側の面）から外方に折り曲げられており、灰皿本体２を蓋体３に挿入した際に、先端部分２５ａが蓋体３の内面と当接して延在部２５が基体２３の上面から内方に折り曲げられる。これにより、延在部２５が元の位置に戻ろうとすることによる付勢力が生じ、先端部分２５ａが蓋体３の内面に押圧されて、灰皿本体２と蓋体３とが付勢嵌合される。したがって、先端部分２５ａが付勢部を構成する。なお、延在部２５の長さは図２に示すように携帯用灰皿１を開蓋した際に先端部分２５ａが灰落とし孔２１の内方に突出するように形成される。
【００１７】
また、延在部２５における縁部２１ａと先端部分２５ａとの間には、後述するように蓋体３の内面に形成された直方体形状をなす突起部３１と係止する切欠部２５ｂが形成されている。
【００１８】
また、基体２３の開口２２ａの灰落とし孔２１が形成された側の縁部には、図３のＩ−Ｉ線断面図にも詳細に示すように、基体２３の上面から内方に垂れ下がるように案内部２６が形成されている。案内部２６は灰皿本体２１を蓋体３に挿入した際に蓋体３の突起部３１が当接する位置に形成される。
【００１９】
蓋体３は、灰皿本体２と同様に、ステンレス等の金属や耐熱性の合成樹脂のような難燃性材料からなり、一端に開口３２ａを有し、多端が閉塞された筒状をなしている。また、蓋体３の内面には、灰皿本体２を挿入した際に、灰皿本体２の案内部２６および切欠部２５ｂと対応する位置に突起部３１が形成されている。
【００２０】
そして、蓋体３の開口３２ａに灰皿本体２を開口２２ａ側から挿入することにより、突起部３１が案内部２６により案内されて灰皿本体２に形成された延在部２５上を滑って移動し、切欠部２５ｂを通過すると、突起部３１は灰落とし孔２１内に突出した状態となる。したがって、蓋体３と灰皿本体２とを突起部３１に邪魔されることなく容易に嵌合して、携帯用灰皿１を組み立てることができる。
【００２１】
次いで、本実施形態による携帯用灰皿の使用時の動作について説明する。図４は本考案の実施形態による携帯用灰皿の閉蓋時の状態を示す断面図、図５は本考案の実施形態による携帯用灰皿の開蓋時の状態を示す断面図である。なお、図４および図５は本実施形態による携帯用灰皿１の図３におけるＩ−Ｉ線上の断面図である。
【００２２】
まず、閉蓋時においては、灰皿本体２の延在部２５の先端部分２５ａが蓋体３の内面と当接して延在部２５が基体２３の上面から内方に折り曲げられる。これにより、延在部２５に元の位置に戻ろうとする付勢力が生じ、先端部分２５ａが蓋体３の内面に押圧されて灰皿本体２と蓋体３とが付勢嵌合され、蓋体３は先端部分２５ａの付勢力により生じる嵌合力により灰皿本体２に保持される。このため、蓋体３は容易には灰皿本体２と摺動することが無くなって、蓋体３が意に反して開いてしまうことを防止できる。
【００２３】
また、この状態においては突起部３１は灰皿本体２の灰落とし孔２１内に突出した状態となっている。
【００２４】
そして、喫煙を行うべく、延在部２５の先端部分２５ａの付勢力により生じる嵌合力に抗して灰皿本体２を蓋体３から引き出すことにより、蓋体３が開蓋されて灰落とし孔２１が外部に露出する。そして、蓋体３をさらに引き出すと、図３に示すように突起部３１が切欠部２５ｂに係止するとともに、先端部分２５ａと蓋体３の内面との当接が解除されて、延在部２５が元の位置に戻り、先端部分２５ａが基体２３の上面から外方に突出する。
【００２５】
この状態においては、先端部分２５ａによる付勢力は生じていないが、突起部３１が切欠部２５ｂに係止しているため、蓋体３が灰皿本体２から外れてしまうことはない。また、先端部分２５ａが基体２３の上面から外方に突出して、先端部分２５ａの根元（すなわち折り曲げられている箇所）が蓋体３の開口３２ａに当接するため、先端部分２５ａを基体２３の上面から内方に折り曲げる力を作用させない限り、蓋体３と灰皿本体２とは互いに摺動することが無くなる。したがって、灰落とし孔２１を露出させた状態にて蓋体３と灰皿本体２とを固定することができる。
【００２６】
ここで、喫煙時においては、灰落とし孔２１に突出した先端部分２５ａを用いてたばこの灰を灰落とし孔２１内に落とすことができる。
【００２７】
喫煙終了後は、灰落とし孔２１からたばこを差し込んで基体２３内において火をもみ消し、吸い殻を灰落とし孔２１内に入れる。そして、先端部分２５ａを基体２３の上面から内方に折り曲げることができる程度の力を加えて灰皿本体２を蓋体３に押し込むことにより、灰皿本体２を閉蓋することができる。
【００２８】
なお、開蓋状態において灰皿本体２を蓋体３に対して若干下側に押下しつつ、開蓋時よりも大きな力を作用させることにより、灰皿本体２を蓋体３から引き抜くことができる。したがって、灰皿本体２に吸い殻がたまったときには、灰皿本体２を蓋体３から引き抜いて、たまった吸い殻を基体２３の開口２２ａから容易に捨てることができる
また、吸い殻を捨てた後に灰皿本体２を蓋体３に挿入するには、携帯用灰皿１を組み立てた場合と同様に、灰皿本体２を蓋体３に押し込めばよい。
【００２９】
このように、本実施形態においては、灰皿本体２に形成した延在部２５の先端部分２５ａに生じる付勢力により、灰皿本体２と蓋体３とを付勢勘合しているため、実用新案登録第３０３０２５８号公報に記載された弾性部材のように、灰皿本体２および蓋体３以外の部品を使用しなくても、灰皿本体２と蓋体３とが開蓋時に抜けてしまったり、閉蓋時に意に反して開いたりすることなく、灰皿本体２と蓋体３とを摺動自在かつ着脱自在に装着できる。したがって、灰皿本体２および蓋体３以外の部品が不要となり、さらに灰皿本体２および蓋体３以外の部品を灰皿本体２に付与するための加工も不要となり、その結果、携帯用灰皿１を安価に提供できることとなる。
【００３０】
なお、上記実施形態においては、延在部２５に切欠部２５ｂを形成し、切欠部２５ｂを蓋体３の突起部３１に係止させることにより、灰皿本体２が蓋体３から抜けることを防止しているが、図６に示す他の実施形態のように、延在部２５に切欠部２５ｂを形成することなく、延在部２５を上記図１から図５に示す実施形態よりも短く形成し、開蓋時に灰落とし孔２１の縁部２１ａに突起部３１を当接させることにより、蓋体３が灰皿本体２から外れてしまうことを防止するようにしてもよい。
【００３１】
また、上記実施形態においては、灰落とし孔２１の縁部２１ａに延在部２５を形成しているが、図７に示すさらに他の実施形態のように、とくに延在部２５を形成することなく携帯用灰皿１を構成してもよい。この場合、例えば図８に示すように、基体２３の長手方向下面の開口２１ａの一部に切り込みを入れて外側に折り曲げて付勢部２８を形成し、蓋体３に灰皿本体２を挿入した際に、付勢部２８が基体２３の下面から内方に折り曲げられることにより生じる付勢力により、灰皿本体２と蓋体３との嵌合力を得るようにすればよい。
【図面の簡単な説明】
【図１】本考案の実施形態による携帯用灰皿の閉蓋時の外観斜視図
【図２】本考案の実施形態による携帯用灰皿の開蓋時の外観斜視図
【図３】本考案の実施形態による携帯用灰皿の分解斜視図
【図４】本考案の実施形態による携帯用灰皿の閉蓋時の状態を示す断面図
【図５】本考案の実施形態による携帯用灰皿の開蓋時の状態を示す断面図
【図６】本考案の他の実施形態による携帯用灰皿の開蓋時の外観斜視図
【図７】本考案のさらに他の実施形態による携帯用灰皿の開蓋時の外観斜視図
【図８】本考案のさらに他の実施形態による携帯用灰皿の灰皿本体の構成を示す外観斜視図
【図９】従来の携帯用灰皿の外観斜視図
【図１０】従来の携帯用灰皿の分解斜視図
【符号の説明】
１　　　携帯用灰皿
２　　　灰皿本体
３　　　蓋体
２１　　灰落とし孔
２４　　キャップ
２５　　延在部
２５ａ　先端部分
２５ｂ　切欠部
２６　　案内部
【図１】
0003096973.tif 000003
【図２】
0003096973.tif 000004
【図３】
0003096973.tif 000005
【図４】
0003096973.tif 000006
【図５】
0003096973.tif 000007
【図６】
0003096973.tif 000008
【図７】
0003096973.tif 000009
【図８】
0003096973.tif 000010
【図９】
0003096973.tif 000011
【図１０】
0003096973.tif 000012